(57)【要約】【課題】袖仕切りの機能性を高める。【解決手段】情報表示部１６が、パーテーションボード１４の透明板からなる透過部３０を介して、透過部３０の内層側に形成された空間部３４に配置される広告紙３２の表示情報を、乗客に提供することが可能である。又、透過部３０がパーテーションボード１４の外壁を形成するものであることから、広告紙３２自体に十分な強度を与えることなく、透過部３０の内層側に形成された空間３４に格納する態様で、広告紙３２を設置することが可能である。又、透過部３０によって広告紙３２が外力から保護される。パーテーションボード１４の下端部に開口部３８が形成され、この開口部３８から、透過部３０の内層側に設けられた空間部３４に対して広告紙３２を抜き差しすることで、広告紙３２の交換を行なう。【選択図】図３
2014046833.tif 000002
【特許請求の範囲】
【請求項１】
車室内に設置される座席の側端に位置する袖仕切りであって、
座席端部を通路空間と区分けするパーテーションボードを有し、該パーテーションボードの、少なくとも座席と反対側の面には、その表示内容を適宜変更可能に、情報表示部が設置されていることを特徴とする車両の座席袖仕切り。
【請求項２】
前記情報表示部は、前記パーテーションボードの外壁を形成する透明板からなる透過部を有し、前記透過部の内層側に空間部が形成され、該空間部に情報表示媒体が配置されてなることを特徴とする請求項１記載の車両の座席袖仕切り。
【請求項３】
前記パーテーションボードの下端部が、車両の床面に対して所定間隔を空けて配置され、前記パーテーションボードの下端部に、前記透過部の内層側に設けられた空間部に対して、前記情報表示媒体を抜き差しするための開口部が形成されていることを特徴とする請求項２記載の車両の座席袖仕切り。
【請求項４】
前記情報表示媒体を取り付けた状態で、前記開口部に対して前記情報表示媒体を抜き差しすると共に、前記開口部を覆い隠すホルダを備えることを特徴とする請求項３記載の車両の座席袖仕切り。
【請求項５】
前記情報表示媒体が弾性変形可能なシート状をなしていることを特徴とする請求項１から４のいずれか１項記載の車両の座席袖仕切り。
【請求項６】
前記情報表示媒体が広告紙であることを特徴とする請求項５記載の車両の座席袖仕切り。
【発明の詳細な説明】
【技術分野】
【０００１】
本発明は、車両の座席袖仕切りに関するものである。
【背景技術】
【０００２】
従来から、鉄道車両の座席として、室内側壁方向に並んで座るように構成されたロングシートが、通勤用車両に広く用いられている。ロングシートは、車両の側扉間に設置され、背もたれ及び座面の前方は車両の長手方向に延びる通路空間に面し、端部は側扉へと通じる通路空間に面している。ロングシートの端部に面する通路空間は、乗車空間としても用いられることから、ここの立客とロングシート端部の着座客との干渉を防ぐために、従来から、ロングシートの端部には縦横の握り棒（スタンションポール）で区画する構造が広く採用されている。
しかしながら、縦横の握り棒により、ロングシートの端部と通路空間との区画を行なう構造は、縦横の握り棒で囲まれた部分が大開口となっており、シート端部を面状に仕切るものではないことから、立客と着座客との仕切りが不十分となる場合がある。又、側扉の開放時に車内に吹き込む風の遮蔽機能も期待できない。このため、近年では、座席端部と通路空間とを面状に仕切ることで明確に区分けする、パーテーション状の袖仕切りが採用される事例が、多くなっている（例えば、特許文献１参照。）。
【先行技術文献】
【特許文献】
【０００３】
【特許文献１】特開２０１２−１１９６２号公報
【発明の概要】
【発明が解決しようとする課題】
【０００４】
ところで、従来の、パーテーション状の袖仕切りは、ロングシートの端部と通路空間の仕切りを確実にするという点では効果的であるが、車内での見通しを確保するという観点からは一考の余地がある。このため、上記特許文献１記載の袖仕切りは、一部が透過した構造を採用することで、この透過部分を介して、車内での見通しを良好にしたものである。
一方、パーテーション状の袖仕切りは、乗客の目につき易い場所にあることから、これを有効活用したいといったニーズも存在する。
本発明は、このような課題に鑑みてなされたものであり、その目的とするところは、袖仕切りの機能性を高めることにある。
【課題を解決するための手段】
【０００５】
（発明の態様）
以下の発明の態様は、本発明の構成を例示するものであり、本発明の多様な構成の理解を容易にするために、項別けして説明するものである。又、各項は、本発明の技術的範囲を限定するものではない。よって、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）車室内に設置される座席の側端に位置する袖仕切りであって、座席端部を通路空間と区分けするパーテーションボードを有し、該パーテーションボードの、少なくとも座席と反対側の面には、その表示内容を適宜変更可能に、情報表示部が設置されている車両の座席袖仕切り（請求項１）。
【０００７】
本項に記載の車両の座席袖仕切りは、座席端部を通路空間と区分けするパーテーションボードによって、座席の端部と通路空間とを、物理的に確実に仕切るものである。すなわち、パーテーションボードは、座席の端部と通路空間とを面状に仕切ることから、座席端部の着座客と立客との直接的な干渉が生じることは無く、又、側扉の開放時に車内に吹き込む風を遮蔽して、着座客へと風が直接的に当ることも無い。そして、座席の端部と通路空間との間に面状に広がるパーテーションボードの、少なくとも座席と反対側の面に設けられた情報表示部において表示される情報を、乗客に示すものとなる。又、情報表示部の表示内容は、適宜変更可能であることにより、乗客に様々な情報を提供するものとなる。
なお、本発明において、情報表示部に表示される情報は、例えば、広告、ニュース、車両の運行に関する情報はもちろんのこと、コーポレートマーク、幾何学的模様や色彩、風景画像等も表示し得るものである。又、情報表示部は、パーテーションボードの座席と反対側の面のみならず、座席側の面に設けることとしても良い。この場合には、着座客によって隠されない範囲内において、座席側の面からも乗客に情報提供をすることが可能となり、また、立客のみならず着座客に対しても、例えば視覚的に癒し効果のある模様や色彩等を提供し、或いは、必要な情報を提供するものとなる。
【０００８】
（２）上記（１）項において、前記情報表示部は、前記パーテーションボードの外壁を形成する透明板からなる透過部を有し、前記透過部の内層側に空間部が形成され、該空間部に情報表示媒体が配置されてなる車両の座席袖仕切り（請求項２）。
本項に記載の車両の座席袖仕切りは、情報表示部が、パーテーションボードの透明板からなる透過部を介して、透過部の内層側に形成された空間部に配置される、情報表示媒体の表示情報を、乗客に提供するものである。又、透過部がパーテーションボードの外壁を形成するものであることから、情報表示媒体自体に十分な強度を与えることなく、透過部の内層側に形成された空間に格納する態様で、情報表示媒体を設置するものとなる。又、透過部によって情報表示媒体が外力から保護されることとなる。
【０００９】
（３）上記（２）項において、前記パーテーションボードの下端部が、車両の床面に対して所定間隔を空けて配置され、前記パーテーションボードの下端部に、前記透過部の内層側に設けられた空間部に対して、前記情報表示媒体を抜き差しするための開口部が形成されている車両の座席袖仕切り（請求項３）。
本項に記載の車両の座席袖仕切りは、パーテーションボードの下端部に開口部が形成され、この開口部から、透過部の内層側に設けられた空間部に対して情報表示媒体を抜き差しすることで、情報表示媒体の交換を行なうものである。しかも、パーテーションボードの下端部が、車両の床面に対して所定間隔を空けて配置されていることで、この交換作業を容易にするための作業空間が確保される。また、開口部がパーテーションボードの下端部に形成されていることで、開口部が乗客の目につき難く、乗客によるいたずら防止に貢献するものとなる。又、開口部がパーテーションボードの下方に向けて開口するように構成すれば、開口部から透過部の内層側に設けられた空間部に対して埃等の異物が入りにくくなり、メンテナンス性にも配慮したものとなる。
【００１０】
（４）上記（２）項において、前記パーテーションボードの上端部に、前記透過部の内層側に設けられた空間部に対して、前記情報表示媒体を抜き差しするための開口部が形成されている車両の座席袖仕切り。
本項に記載の車両の座席袖仕切りは、パーテーションボードの上端部に開口部が形成され、この開口部から、透過部の内層側に設けられた空間部に対して情報表示媒体を抜き差しすることで、情報表示媒体の交換を行なうものである。座席の袖仕切りを構成するパーテーションボードは、通常、車内での見通しを確保する為に、その上端部は立客（成人）の腰位置から胸部位置程度の高さに抑えられている。このため、情報表示媒体の交換作業を行なうための作業空間が、パーテーションボードの上方に確保されており、パーテーションボードの上方から、情報表示媒体の交換作業が容易に行なわれるものとなる。
【００１１】
（５）上記（３）（４）項において、前記情報表示媒体を取り付けた状態で、前記開口部に対して前記情報表示媒体を抜き差しすると共に、前記開口部を覆い隠すホルダを備える車両の座席袖仕切り（請求項４）。
本項に記載の車両の座席袖仕切りは、情報表示媒体を取り付けた状態で、開口部に対して情報表示媒体を抜き差しすると共に、開口部を覆い隠すホルダを備えることで、このホルダを介して、パーテーションボードに対する情報表示媒体の交換、固定、及び開口部の封止を行なうものとなる。
【００１２】
（６）上記（２）項において、前記透過部の一部又は全部が、前記パーテーションボードに対して着脱ないし開閉自在に構成されている車両の座席袖仕切り。
本項に記載の車両の座席袖仕切りは、透過部の一部又は全部を、パーテーションボードに対して、取外し又は開放状態とすることにより、情報表示媒体を抜き差しするための開口部が形成される。この開口部から、透過部の内層側に設けられた空間部に対して情報表示媒体を抜き差しすることで、情報表示媒体の交換を行なうものである。そして、情報表示媒体の交換作業が、パーテーションボードの側方から容易に行なわれるものとなる。
【００１３】
（７）上記（１）から（６）項において、情報表示媒体が弾性変形可能なシート状をなしている車両の座席袖仕切り（請求項５）。
本項に記載の車両の座席袖仕切りは、情報表示媒体がシート状をなしていることで、透過部の内層側に設けられた空間部に要求される情報表示媒体の厚み方向の必要寸法が、シート状の情報表示媒体を抜き差し及び格納可能な程度に抑えることとなり、パーテーションボードの厚みの増大を防ぐものとなる。又、情報表示媒体が弾性変形可能であることにより、開口部から、透過部の内層側に設けられた空間部に対して情報表示媒体を抜き差しする際に、適宜、交換作業を容易かつ円滑に行なえるように、情報表示媒体を変形させて作業を行うことを可能とするものである。しかも、情報表示媒体を取り付けるホルダを用いる場合には、情報表示媒体が不用意に変形しやすいものであっても、情報表示媒体が取ホルダに保持されることで、開口部を介しての情報表示媒体の交換及び固定作業が、ホルダを介して確実に行なわれるものとなる。
【００１４】
（８）上記（７）項において、前記情報表示媒体が広告紙である座席袖仕切り（請求項６）。
本項に記載の車両の座席袖仕切りは、情報表示媒体が広告紙であることにより、異なる情報が印刷された広告紙を情報表示部に設置することで、パーテーションボードに、印刷された情報の表示機能を与えるものとなる。又、広告紙を適宜交換することで、乗客に様々な情報を提供するものとなる。
【００１５】
（９）上記（７）項において、前記情報表示媒体が液晶シートである座席袖仕切り。
本項に記載の車両の座席袖仕切りは、情報表示媒体が液晶シートであることにより、パーテーションボードに、液晶シートに表示された情報の表示機能を与えるものとなる。又、液晶シートの表示内容を適宜変更することで、乗客に様々な情報を提供するものとなる。
（１０）上記（８）（９）項において、前記情報表示媒体の照明手段を備える座席袖仕切り。
本項に記載の車両の座席袖仕切りは、広告や液晶シート等、非自発光型の表示媒体を照明手段によって適宜照明することで、車内の明るさの如何にかかわらず、乗客に対して明確に情報を提供するものとなる。
【００１６】
（１１）上記（７）項において、前記情報表媒体が自発光型表示シートである座席袖仕切り。
本項に記載の車両の座席袖仕切りは、情報表示媒体が、例えば有機ＥＬ等の自発光型表示シートであることにより、パーテーションボードに、自発光型表示シートに表示された情報の表示機能を与えるものとなる。又、自発光型表示シートの表示内容を適宜変更することで、乗客に様々な情報を提供するものとなる。
（１２）上記（１）から（１１）項において、透過部の内層側に設けられた空間部が、前記情報表示媒体の外形に習った形状を有している車両の座席袖仕切り。
本項に記載の車両の座席袖仕切りは、透過部の内層側に設けられた空間部が、前記情報表示媒体の外形に習った形状を有していることから、情報表示媒体を空間部に差し込むことで、パーテーションボードに対する情報表示媒体の位置決めがなされるものとなる。
【発明の効果】
【００１７】
本発明はこのように構成したので、袖仕切りの機能性を高めることが可能となる。
【図面の簡単な説明】
【００１８】
【図１】本発明の実施の形態に係る座席袖仕切りが採用された鉄道車両の、要部断面図である。
【図２】図１に示される座席袖仕切りを抜粋して示したものであり、（ａ）は出入口側面図、（ｂ）は座席側面図、（ｃ）は（ａ）のＡ−Ａ断面図、（ｄ）はパーテーションボードのベース部及びホルダを示す分解図である。
【図３】（ａ）は、図１に示される座席袖仕切りを斜め上方から見た斜視図であり、（ｂ）は、図１に示される座席袖仕切り及びホルダを下方から見た斜視図である。
【図４】図１に示される座席袖仕切りの分解斜視図である。
【図５】図１に示される座席袖仕切りに対し、情報表示媒体としての広告紙を交換する様子を模式的に示す立体図であり、（ａ）は出入口側面から見た様子を示し、（ｂ）は座席側側面から見た様子を示すものである。
【発明を実施するための形態】
【００１９】
以下、本発明を実施するための形態を添付図面に基づいて説明する。なお、本説明では、ロングシートの端部に設けられた袖仕切りを例示して説明する。
【００２０】
図１〜図３に示される、本発明の実施の形態に係る車両の座席袖仕切り１０は、車室内に設置される座席１２の側端に位置するものであり、座席端部を通路空間と区分けするパーテーションボード１４を有している。又、パーテーションボード１４は、図１に示されるように、その下端部が車両の床面１５に対して所定間隔Ｈを空けるようにして、配置される。一方、その上端部は、車内での見通しを確保する為に、立客（成人）の腰位置から胸部位置程度の高さに抑えられている。
そして、パーテーションボード１４の、少なくとも座席１２と反対側の面には、情報表示部１６が設置されている。なお、図示の例では、情報表示部１６は、パーテーションボード１４の座席１２と反対側の面のみならず、座席１２側の面にも設けられている。
【００２１】
ここで、パーテーションボード１４の構造について、図４を参照しながらより具体的に説明する。まず、パーテーションボード１４は、強度保持部材として、複数のフレームを適宜組み合わせて構成された、支持枠１８を有している。図示の例では、支持枠１８は、パーテーションボード１４の外枠を構成する縦枠部１８ａ、上横枠部１８ｂ及び下横枠部１８ｄに加え、中横枠部１８ｃを有し、全体としてＥ字状をなしている。そして、支持枠１８の２箇所のコ字状開放部２０、２２のうち、縦枠部１８ａ、上横枠部１８ｂ及び中横枠部１８ｃで囲まれた開放部２０は、縦枠部１８ａ、中横枠部１８ｃ及び下横枠部１８ｄで囲まれた開放部２２よりも大開口に形成され、ここに情報表示部１６（図１〜図３参照）が配置される。
支持枠１８の縦枠部１８ａは、車両の内壁部又は車体構体に固定されるものである（図１、図２（ｃ）参照）。又、上横枠部１８ｂの先端部には、上部ブラケット２６が設けられている。この上部ブラケット２６は、スタンションポール２４を挿通した状態で、スタンションポール２４に固定されるものである。又、中横枠部１８ｃ及び下横枠部１８ｄの先端部を架橋するようにして、下部ブラケット２８が設けられている。この下部ブラケット２８は、スタンションポール２４を挿通した状態で、スタンションポール２４に固定されるものである。
【００２２】
支持枠１８の開放部２０には、図２（ｃ）にも示されるように、三層の透明プレート３０ａ、３０ｂ、３０ｃを重ね合わせてなる透過部３０が固定される。透過部３０を構成する三層の透明プレートのうち、外部に露出する二層の透明プレート３０ａ、３０ｂは、必要な強度を確保するための厚みを有しており、これらに挟まれる内部一層のプレート３０ｃは、情報表示媒体としての、広告紙３２の厚みプラスアルファの幅を有している。そして、内部一層のプレート３０ｃには、広告紙３２を配置するための空間部３４を形成するための切り欠き３０ｃＮ（図３（ａ）、図４参照）が形成されている。そして、内部一層のプレート３０ｃは、透過部３０の強度保持部材であると共に、空間部３４の厚み方向の必要寸法（広告紙３２を抜き差し及び格納可能とする寸法）を確保する為のスペーサとしても機能するものである。又、切り欠き３０ｃＮは、透過部３０の内層側に設けられた空間部３４が、広告紙３２の外形に習った寸法形状を有するように形成されている。
なお、各プレート３０ａ〜３０ｃはポリカーボネート等の透明樹脂材料が用いられるが、適宜、強化ガラスその他の透明材料で構成することとしても良い。
【００２３】
パーテーションボードの下端部には、透過部３０の内層側に設けられた空間部３４に対して、広告紙３２を抜き差しするための開口部３６、３８が形成されている。図示の例では、支持枠１８の中横枠部１８ｃ及び下横枠部１８ｄの、夫々、透過部３０の空間部３４と対向する位置に、開口部３６（図４参照）及び３８（図３（ｂ）参照）が、下方に向けて開放するように形成されている。
又、これらの開口部３６、３８に挿入可能なホルダ４０を備えている。ホルダ４０は、図３（ｂ）、図４に示されるように、広告紙３２を挟みこむための挟持部４０ａと、下横枠部１８ｄに固定されることで開口部３８を覆い隠す固定部４０ｂとが、連結部４０ｃによって、連結された構造を有している。この連結部４０ｃは、挟持部４０ａに保持される広告紙３２の高さ方向位置を決定するものであり、適宜、広告紙３２の大きさに応じて伸縮可能な構造を採用することとしても良い。挟持部４０ａは、例えば板材を折り返して広告紙３２を挟持可能に構成したものであり、開口部３６、３８に挿通可能な寸法を有している。又、固定部４０ｂは、下横枠部１８ｄの下面に密着するように、下横枠部１８ｄに倣った形状を有しており、例えば、ねじ４２等の固定部材を用いて下横枠部１８ｄに固定されるものである。連結部４０ｃは、挟持部４０ａと共に開口部３６、３８へと挿通可能な寸法を有している。
【００２４】
更に、支持枠１８の両側には、側部カバー４４、４６が装着される。これら側部カバー４４、４６は、少なくとも透過部３０の空間部３４に挿入された広告紙３２が覆い隠されることの無いように、コ字状をなしている。そして、上横枠部１８ｂには、図４に示される上部カバー４８が装着される。
又、図２に示されるように、透過部３０の先端縁部には、チャンネル材からなる縁カバー５０が固定される。そして、縁カバー５０とスタンションポール２４との間には、スタンションポール２４を握ることができるように空間が形成され、縁カバー５０がスタンションポール２４に対して、例えばＵ字状のステー５２を介して固定されている。更に、図２（ｃ）に示されるように、透過部３０の、支持枠１８の縦枠部１８ａと対向する端縁部は、クッション５４を介して縦枠部１８ａ及び側部カバー４４、４６に対し当接している。図示は省略するが、透過部３０の、上横枠部１８ｂ及び中横枠部１８ｃと対向する端縁部も同様である。
【００２５】
そして、本発明の実施の形態に係る車両の座席袖仕切り１０は、上記構造を有することで、適宜、座席１２、パーテーションボード１４、スタンションポール２４を、個々に車体から取り外すことも可能となっている。
【００２６】
さて、上記構成をなす本発明の実施の形態によれば、次のような作用効果を得ることが可能となる。まず、本発明の実施の形態に係る車両の座席袖仕切り１０は、座席１２の端部を通路空間ＰＡ（図５参照）と区分けするパーテーションボード１４によって、座席１２の端部と通路空間ＰＡとを、物理的に確実に仕切ることが可能である。すなわち、パーテーションボード１４は、座席１２の端部と通路空間ＰＡとを面状に仕切ることから、座席端部の着座客と立客との直接的な干渉が生じることは無く、又、側扉５６（図５参照）の開放時に車内に吹き込む風も遮蔽して、着座客へと風が直接的に当ることも無い。そして、座席１２の端部と通路空間ＰＡとの間に面状に広がるパーテーションボード１４の、側面に設けられた情報表示部１６において表示される情報を、乗客に示すことが可能となる。又、情報表示部１６の表示内容は、適宜変更可能であることにより、乗客に様々な情報を提供することが可能となる。
【００２７】
又、本発明の実施の形態に係る車両の座席袖仕切り１０は、情報表示部１６が、パーテーションボード１４の透明板からなる透過部３０を介して、透過部３０の内層側に形成された空間部３４に配置される広告紙３２の表示情報を、乗客に提供することが可能である。又、透過部３０がパーテーションボード１４の外壁を形成するものであることから、広告紙３２自体に十分な強度を与えることなく、透過部３０の内層側に形成された空間３４に格納する態様で、広告紙３２を設置することが可能である。又、透過部３０によって広告紙３２が外力から保護されることとなる。
【００２８】
又、本発明の実施の形態に係る車両の座席袖仕切り１０は、パーテーションボード１４の下端部に開口部３８（３６）が形成され、この開口部３８（３６）から、透過部３０の内層側に設けられた空間部３４に対して広告紙３２を抜き差しすることで、広告紙３２の交換を行なうものである（図５参照）。しかも、パーテーションボード１４の下端部が、車両の床面１５に対して所定間隔Ｈを空けて配置されていることで、広告紙３２交換作業を容易にするための作業空間が確保されている。また、開口部３８（３６）がパーテーションボード１４の下端部に形成されていることで、開口部３８が乗客の目につき難く、乗客によるいたずら防止に貢献するものとなる。又、開口部３８（３６）が下方へ向けて開放するように形成されていることで、開口部３８（３６）から透過部３０の内層側に設けられた空間部３４に対して埃等の異物が入りにくく、メンテナンス性にも配慮したものとなっている。
【００２９】
又、本発明の実施の形態に係る車両の座席袖仕切り１０はホルダ４０を備え、このホルダ４０に広告紙３２を取り付けた状態で、開口部３８（３６）に対して広告紙３２を抜き差しすると共に、ホルダ４０によって開口部３８を覆い隠すことで、このホルダ４０を介して、パーテーションボード１４に対する広告紙３２の交換、固定、及び開口部の封止を行なうものである。そして、広告紙３２単独でパーテーションボード１４に対する交換、固定、及び開口部の封止を行なう場合に比べ、これらの作業を簡単かつ確実に行なうことが可能となる。
【００３０】
なお、図示は省略するが、パーテーションボード１４の上端部に開口部が形成され、この開口部から、透過部３０の内層側に設けられた空間部３４に対して情報表示媒体を抜き差しすることで、情報表示媒体の交換を行なうように構成することも可能である。この場合には、座席の袖仕切り１０を構成するパーテーションボード１４は、通常、車内での見通しを確保する為に、その上端部は立客の腰位置から胸部位置程度の高さに抑えられている。このため、広告紙３２の交換作業を行なうための作業空間が、パーテーションボード１４の上方に確保されており、広告紙３２の交換作業が、パーテーションボード１４の上方から容易に行なわれるものとなる。
【００３１】
更なる応用例として、図示は省略するが、透過部３０の一部又は全部が、パーテーションボード１４に対して着脱ないし開閉自在に構成され、透過部３０の内層側に設けられた空間部３４に対して、広告紙３２を抜き差しするための開口部が、透過部３０の取外し又は開放状態において形成される構造を採用することも可能である。この場合には、例えば、透過部３０を構成する三層の透明プレートのうち、座席と反対側の面に露出する一層の透明プレート３０ａを着脱自在、若しくはヒンジによって他の２層の透明プレート３０ｂ、３０ｃに対し開閉自在に構成することで、上記構造が実現される。又、透過部３０の全体が支持枠１８に対して着脱自在、若しくは、ヒンジによって支持枠１８に対し揺動自在に支持されるものであっても良い。
これらの構成によっても、広告紙３２の交換作業が、パーテーションボード１４の、通路空間Ａ側から、容易に行なうことが可能となる。
【００３２】
又、本発明の実施の形態に係る車両の座席袖仕切り１０は、情報表示媒体が、広告紙３２等、シート状をなしていることで、透過部３０の内層側に設けられた空間部３４に要求される厚み方向の必要寸法が、シート状の情報表示媒体を抜き差し及び格納可能な程度に抑えることとなり、パーテーションボード１４の厚みの増大を防ぐものとなる。又、情報表示媒体が弾性変形可能であることにより、開口部３８（３６）から、透過部３０の内層側に設けられた空間部３４に対して情報表示媒体を抜き差しする際に、適宜、交換作業を容易かつ円滑に行なえるように、情報表示媒体を変形させて作業を行うことが可能となる（図５参照）。しかも、情報表示媒体を取り付けるホルダ４０を用いることにより、情報表示媒体が不用意に変形しやすいものであっても、開口部３８（３６）を介しての情報表示媒体の交換及び固定作業が、ホルダ４０を介して確実に行なわれるものとなる。
【００３３】
そして、本発明の実施の形態では、情報表示媒体が広告紙３２であることにより、異なる情報が印刷された広告紙３２を情報表示部１６に設置することで、パーテーションボード１４に、印刷された情報の表示機能を与えることが可能となる。又、広告紙３２を適宜交換することで、乗客に様々な情報を提供することが可能となる。
又、透過部３０の内層側に設けられた空間部３４が、広告紙３２の外形に習った形状を有していることから、広告紙３２を空間部３４に差し込むことで、パーテーションボード１４に対する情報表示媒体の位置決めがなされるものとなる。例えば、鉄道車両への適用に際しては、車内側天井に掲載される定型の広告紙の寸法に合わせて、透過部３０の内層側に設けられた空間部３４を形成することで、空間部３４の寸法形状も、定型の広告紙に適合するように一義的に決定されるものとなる。
【００３４】
更に、本発明の実施の形態に係る車両の座席袖仕切り１０に用いられる、情報表示媒体は、広告紙３２に限定されるものではなく、他のシート状の情報表示媒体、例えば液晶シートを用いることも可能である。この場合でもパーテーションボード１４に、液晶シートに表示された情報の表示機能を与えるものとなる。又、液晶シートの表示内容を適宜変更することで、乗客に様々な情報を提供するものとなる。
又、情報表示媒体の照明手段を設けることとすれば、広告や液晶シート等、非自発光型の表示媒体を照明手段によって適宜照明することで、車内の明るさの如何にかかわらず、乗客に対して明確に情報を提供するものとなる。なお、パーテーションボード１４の内部に、透過部３０を照らす照明手段を設けることとしても、パーテーションボード１４の外部から、透過部３０を照らす照明手段を設けることとしても良い。
【００３５】
更に、情報表示媒体が、例えば有機ＥＬ等の自発光型表示シートを用いることとすれば、パーテーションボードに、自発光型表示シートに表示された情報の表示機能を与えるものとなる。又、自発光型表示シートの表示内容を適宜変更することで、乗客に様々な情報を提供するものとなる。
又、本発明の実施の形態では、情報表示部１６が、パーテーションボード１４の座席１２と反対側の面のみならず、座席１２側の面にも設けられていることから、着座客によって隠されない範囲内において、座席１２側の面からも乗客に情報提供をすることが可能となり、また、立客のみならず着座客に対しても、例えば視覚的に癒し効果のある模様や色彩等を提供し、或いは、必要な情報を提供するものとなる。一方、諸条件を考慮して、情報表示部１６が、パーテーションボード１４の座席１２と反対側の面にのみ設ける場合もある。この場合には、透過部３０の、座席１２側に面する透明プレート３０ｂ（図２（ｃ）参照）を不透明プレートで構成し、又は、座席１２側に面する側部カバー４６によって透過部３０を覆い隠すように構成することも可能である。
【００３６】
又、本発明の実施の形態では、座席１２としてロングシートを備える車両の座席袖仕切り１０を例示して説明したが、上述のごとき情報提供機能に鑑み、例えば、クロスシートの座席側面に車両の座席袖仕切り１０を設置することとしても良い。又、鉄道車両に限定されず、他の旅客用車両の座席袖仕切りにも、同様に採用することも有用である。
【符号の説明】
【００３７】
１０：車両の座席袖仕切り、１２：座席、１４：パーテーションボード、１５：床面、１６：情報表示部、３０：透過部、３２：広告紙、３４：空間部、  ３６、３８：開口部、４０：ホルダ
【図１】
2014046833.tif 000003
【図２】
2014046833.tif 000004
【図３】
2014046833.tif 000005
【図４】
2014046833.tif 000006
【図５】
2014046833.tif 000007